(57)【特許請求の範囲】
【請求項１】
垂直ケーブルマネージャ用のドアであって、
パネルと、
前記パネルの第１の端部に配置された第１のヒンジピンであって、伸長位置から後退位置に摺動する、第１のヒンジピンと、
前記第１のヒンジピンに隣接して配置された第１のヒンジピン保持部材であって、前記第１のヒンジピンを前記後退位置に固定するように、前記第１のヒンジピンに解放可能に接続された、第１のヒンジピン保持部材と、
を備えており、
前記第１のヒンジピン保持部材は、可撓性ロッドを含んでいる、ドア。
【請求項２】
前記垂直ケーブルマネージャは、ある高さを有し、前記パネルは、前記垂直ケーブルマネージャの前記高さに及んでいる、請求項１に記載のドア。
【請求項３】
前記ドアは、前記垂直ケーブルマネージャに回転可能かつ取り外し可能に接続されている、請求項１に記載のドア。
【請求項４】
前記第１のヒンジピンは、前記伸長位置で前記垂直ケーブルマネージャに係合している、請求項１に記載のドア。
【請求項５】
前記第１のヒンジピンは、前記後退位置で前記垂直ケーブルマネージャを係脱する、請求項１に記載のドア。
【請求項６】
前記第１のヒンジピンは、前記第１のヒンジピン保持部材を受容するための環状溝を含んでいる、請求項１に記載のドア。
【請求項７】
前記第１のヒンジピンに動作可能に接続されるラッチをさらに備え、前記ラッチの動作が前記第１のヒンジピンを前記伸長位置から前記後退位置に摺動させ、前記第１のヒンジピン保持部材に係合するようにする、請求項１に記載のドア。
【請求項８】
前記ラッチに接続されたラッチアームと、前記ラッチアームと前記第１のヒンジピンとに回転可能に接続された第１のヒンジピンアームと、をさらに備えている、請求項７に記載のドア。
【請求項９】
前記第１のヒンジピンを前記伸長位置に付勢するように、前記第１のヒンジピンに動作可能に接続されたバネをさらに備えている、請求項１に記載のドア。
【請求項１０】
前記ドアが開放位置から閉鎖位置に回転させられる時に、前記垂直ケーブルマネージャは、前記第１のヒンジピン保持部材を解放し、前記第１のヒンジピンを前記後退位置から前記伸長位置に摺動させる、請求項９に記載のドア。
【請求項１１】
前記第１のヒンジピンは、前記バネを受容するための環状溝を含んでいる、請求項９に記載のドア。
【請求項１２】
前記パネルの第２の端部に配置された第２のヒンジピンをさらに備え、前記第２の端部は、前記パネルの前記第１の端部の反対側にある、請求項１に記載のドア。
【請求項１３】
前記第１のヒンジピンおよび前記第２のヒンジピンは、前記ドアのための回転軸を画定している、請求項１２に記載のドア。
【請求項１４】
前記パネルの前記第１の端部に配置され、前記第１のヒンジピンから離間した、第３のヒンジピンと、前記パネルの前記第２の端部に配置され、前記第２のヒンジピンから離間した、第４のヒンジピンと、をさらに備え、前記第３のヒンジピンおよび前記第４のヒンジピンは、前記ドアのための第２の回転軸を画定している、請求項１３に記載のドア。
【請求項１５】
前記第２のヒンジピンに隣接して配置された、第２のヒンジピン保持部材をさらに備えている、請求項１４に記載のドア。
【請求項１６】
前記第２のヒンジピン保持部材は、前記第２のヒンジピンを前記後退位置に固定するように、前記第２のヒンジピンに解放可能に接続されている、請求項１５に記載のドア。
【請求項１７】
前記第２のヒンジピンは、前記第１のヒンジピンに動作可能に接続され、前記第２のヒンジピン保持部材が解放される時に、前記第１のヒンジピン保持部材が前記第１のヒンジピンおよび前記第２のヒンジピンを前記後退位置に固定するようにする、請求項１６に記載のドア。
【請求項１８】
前記第１のヒンジピンおよび前記第２のヒンジピンに動作可能に接続されたラッチをさらに備え、前記ラッチの動作が前記第１のヒンジピンを前記伸長位置から前記後退位置に摺動させ、前記第１のヒンジピン保持部材に係合するようにし、前記第２のヒンジピンを前記伸長位置から前記後退位置に摺動させ、前記第２のヒンジピン保持部材に係合するようにする、請求項１６に記載のドア。
【請求項１９】
前記ラッチに接続されたラッチアームと、前記ラッチアームおよび前記第１のヒンジピンに回転可能に接続された第１のヒンジピンアームと、前記ラッチアームおよび前記第２のヒンジピンに回転可能に接続された第２のヒンジピンアームと、をさらに備えている、請求項１８に記載のドア。
【発明の詳細な説明】
【技術分野】
【０００１】
本願は、参照によりその全体が本明細書に組み込まれる、２０１０年４月２９日出願の米国仮特許出願第６１／３２９，４４５号の利益を主張する。
【０００２】
本発明は、垂直ケーブルマネージャ用のドアに関する。より具体的には、本発明は、垂直ケーブルマネージャ用のドアであって、垂直ケーブルマネージャ全体の高さに及び、且つ作動前に垂直ケーブルマネージャとドアの適切な整合を確実にするために改良された自動保持および解放機構を有する、ドアに関する。
【背景技術】
【０００３】
デュアルヒンジドアを有する垂直ケーブルマネージャは、当該技術分野でよく知られている。例えば、２００９年１月７日に出願され、Ｃｈａｔｓｗｏｒｔｈ  Ｐｒｏｄｕｃｔｓ，Ｉｎｃ．（米国カリフォルニア州ウェストレイク・ビレッジ）に譲渡された、特許文献１は、デュアルヒンジドアを有する垂直ケーブルマネージャを開示する。しかしながら、そのデュアルヒンジドアは、自動保持および解放機構を含まない。
【０００４】
自動保持および解放機構を有するデュアルヒンジドアもまた、当該技術分野でよく知られている。例えば、２００７年１月３０日に出願され、ＣｏｍｍＳｃｏｐｅ，Ｉｎｃ．（米国ノースカロライナ州ヒッコリー）に譲渡された、特許文献２は、自動保持および解放機構を有するデュアルヒンジドアを開示する。しかしながら、その自動保持および解放機構は、デュアルヒンジドアの中心に位置する。典型的には、垂直ケーブルマネージャは、約８４．０インチの高さを有するため、自動保持および解放機構は、デュアルヒンジドアが垂直ケーブルマネージャに係合する場所から約４２．０インチのところに位置する。したがって、デュアルヒンジドアが通信ラックと適切に整合していない時に自動保持および解放機構を作動させ、潜在的にドアおよび垂直ケーブルマネージャの両方を損傷し、かつそうでなければ安全であったはずの環境にアクセスを提供する可能性がある。ＣｏｍｍＳｃｏｐｅ，Ｉｎｃ．はこの問題に気付いており、特許文献２の図７に示されるように、垂直ケーブルマネージャの高さに及ぶ複数のデュアルヒンジドアを提供することによって、それを解決しようと試みたようである。
【０００５】
したがって、垂直ケーブルマネージャ用のドアであって、垂直ケーブルマネージャの全体の高さに及び、かつ作動前に垂直ケーブルマネージャとドアとの適切な整合を確実にするために改良された自動保持および解放機構を有する、ドアの必要性がある。
【先行技術文献】
【特許文献】
【０００６】
【特許文献１】米国特許出願公開第２００９／０２３６１１７号明細書
【特許文献２】米国特許第７，３８５，１４１号明細書
【特許文献３】米国特許出願第１１／０８６，８１５号明細書
【特許文献４】米国特許出願第１１／１２３，３６９号明細書
【発明の概要】
【発明が解決しようとする課題】
【０００７】
本発明のある特定の実施形態は、垂直ケーブルマネージャ用のドアを提供する。
【課題を解決するための手段】
【０００８】
ドアは、パネルを含む。加えて、ドアは、パネルの第１の端部に配置される、第１のヒンジピンを含む。第１のヒンジピンは、伸長位置から後退位置に摺動する。加えて、ドアは、第１のヒンジピンに隣接して配置される、第１のヒンジピン保持部材を含む。第１のヒンジピン保持部材は、第１のヒンジピンを後退位置に固定するように、第１のヒンジピンに解放可能に接続される。
【図面の簡単な説明】
【０００９】
【図１】本発明の一実施形態に従った、垂直ケーブルマネージャ用のドアの正面図である。
【図２】ノブを示す、図１のドアの詳細図である。
【図３】図１のドアの背面図である。
【図４】パネルが取り外された状態で示す、図１のドアの背面図である。
【図５】ノブアームを示す、図４のドアの詳細図である。
【図６】ヒンジピンを示す、図４のドアの詳細図である。
【図７】図１のドアの背面斜視図である。
【図８】上部ヒンジピンアセンブリを示す、図７のドアの詳細図である。
【図９】図８の上部ヒンジピンアセンブリの部分分解図である。
【図１０】図９の上部ヒンジピンアセンブリの背面斜視図である。
【図１１】図９の上部ヒンジピンアセンブリの正面斜視図である。
【図１２】図１１の上部ヒンジピンアセンブリの部分分解図である。
【図１３】本発明の一実施形態に従った、垂直ケーブルマネージャ用の上部ドアブラケットの斜視図である。
【図１４】本発明の一実施形態に従った、垂直ケーブルマネージャ用の下部ドアブラケットの斜視図である。
【図１５】図１３の上部ドアブラケットに接続され、かつ開放位置にある、ドアの頂部を示す、図７のドアの詳細図である。
【図１６】ドアブラケットが取り外された状態で示す、図１５の線１６−１６に沿った断面図である。
【図１７】図１３の上部ドアブラケットに接続され、かつ閉鎖位置にある、ドアの頂部を示す、図７のドアの詳細図である。
【図１８】ドアブラケットが取り外された状態で示す、図１７の線１８−１８に沿った断面図である。
【図１９】下部ヒンジピンアセンブリを示す、図７のドアの詳細図である。
【図２０】図１４の下部ドアブラケットに接続され、かつ開放位置にあるドアの底部を示す、図７のドアの詳細図である。
【発明を実施するための形態】
【００１０】
図１〜図２０は、本発明の一実施形態に従った、垂直ケーブルマネージャ用のドア１００を示す。
【００１１】
図１に示すように、ドア１００は、パネル１１０と、パネル１１０に回転可能に接続される一対のノブ１２０と、を含む。ノブ１２０のうちの一方は、パネル１１０の右側に位置付けられ、ノブ１２０のうちの一方は、パネル１１０の左側に位置付けられる。
【００１２】
図２に示すように、パネル１１０は、ドア１００に関する情報を提供するための、インジケータ領域１１１と、インジケータ領域１１１に位置付けられる複数のインジケータ１１２と、を含む。例えば、ドア１００は、ノブ１２０がロックマーク１１２に向けられている時に、ロックされ（例えば、ヒンジピンが伸長させられ）、ドア１００は、ノブ１２０がロック解除マーク１１２に向けられている時に、ロック解除される（例えば、ヒンジピンが後退させられる）。矢印マーク１１２は、ノブ１２０に対する回転方向を示す。
【００１３】
図３および図４に示すように、ドア１００は、パネル１１０に接続される、一対のヒンジピンアセンブリ１３０を含む。ヒンジピンアセンブリ１３０のうちの一方は、パネル１１０の頂部に位置付けられ、ヒンジピンアセンブリ１３０のうちの一方は、パネル１１０の底部に位置付けられる。
【００１４】
ヒンジピンアセンブリ１３０は、筐体１４０と、筐体１４０に摺動可能に接続される、一対のヒンジピン１５０とを含む。ヒンジピン１５０のうちの一方は、筐体１４０の右側に位置付けられ、ヒンジピン１５０のうちの一方は、筐体１４０の左側に位置付けられる。
【００１５】
図５に示すように、ノブ１２０は、パネル１１０を通って延在し、一対のヒンジピンアーム１６０に枢動可能に接続される、ノブアーム１２１を含む。
【００１６】
図６に示すように、ヒンジピンアーム１６０は、ヒンジピン１５０に枢動可能に接続される。
【００１７】
図７に示すように、ドア１００の右側（図７の左側）に位置付けられるヒンジピン１５０は、回転軸Ｒを画定する。同様に、ドア１００の左側（図７の右側）に位置付けられるヒンジピン１５０は、回転軸Ｌを画定する。そのような構成は、ドア１００が右側もしくは左側から開放されること、または垂直ケーブルマネージャから取り外されることを可能にする。
【００１８】
ドア１００を右側から開放するために、ドア１００の右側のノブ１２０は、時計回りに回転させられ、それは、ドア１００の右側のヒンジピン１５０を後退させ、ドア１００がドア１００の左側のヒンジピン１５０、すなわち回転軸Ｌを中心として回転することを可能にする。
【００１９】
ドア１００を左側から開放するために、ドア１００の左側のノブ１２０は、反時計回りに回転させられ、それは、ドア１００の左側のヒンジピン１５０を後退させ、ドア１００がドア１００の右側のヒンジピン１５０、すなわち回転軸Ｒを中心として回転することを可能にする。
【００２０】
ドア１００を垂直ケーブルマネージャから取り外すために、ドア１００の右側のノブ１２０は、時計回りに回転させられ、ドア１００の左側のノブ１２０は、反時計回りに回転させられ、それは、ヒンジピン１５０の全部を後退させ、ドア１００が垂直ケーブルマネージャから取り外されることを可能にする。
【００２１】
図８および図９に示すように、ヒンジピンアセンブリ１３０は、例えば、リベット等の複数の締結具１３１を使用して、ドア１００のパネル１１０に接続される。
【００２２】
図１０〜図１２に示すように、筐体１４０およびヒンジピン１５０に加えて、ヒンジピンアセンブリ１３０は、一対のヒンジピンリテイナ１３２と、一対のヒンジピンリテイナフランジ１３３と、一対のバネ１３４と、一対のバネリテイナ１３５とを含む。
【００２３】
加えて、ヒンジピンアセンブリ１３０は、ヒンジピンリテイナ１３２を筐体１４０に接続するために、一対のヒンジピンリテイナクランプ１４５と、リベット等の対応する締結具とを含む。
【００２４】
筐体１４０は、第１のフランジ１４１と、第２のフランジ１４２と、一対の第３のフランジ１４３とを含む。フランジ１４１〜１４３は、ヒンジピン１５０を受容および支持するための、複数の開口１４４を含む。
【００２５】
加えて、筐体１４０は、ヒンジピンリテイナ１３２にアクセスするための、一対の開口１４７を含む。
【００２６】
図１２に示すように、ヒンジピン１５０は、ヒンジピンリテイナ１３２を受容するための、第１の環状溝１５１と、バネリテイナ１３５を受容するための、第２の環状溝１５２と、を含む。
【００２７】
保持ロッド等のヒンジピンリテイナ１３２は、ヒンジピンリテイナフランジ１３３と筐体１４０の第３のフランジ１４３との間に位置付けられる。ヒンジピンリテイナフランジ１３３は、例えば、締結具１３１を使用して、筐体１４０に接続される。ヒンジピンリテイナ１３２は、ヒンジピン１５０を後退位置に固定する（図１５および図２０）。
【００２８】
バネ１３４は、第２のフランジ１４２と第３のフランジ１４３との間に位置付けられ、例えば、保持リングまたはＥリング等のバネリテイナ１３３を使用して、ヒンジピン１５０に接続される。バネ１３４は、ヒンジピン１５０を伸長位置に付勢する（図１７）。
【００２９】
垂直ケーブルマネージャは、一対のドアブラケット１７０を含む。一方のドアブラケット１７０は、垂直ケーブルマネージャの頂部に位置付けられ（図１５および図１７）、一方のドアブラケット１７０は、垂直ケーブルマネージャの底部に位置付けられる（図２０）。
【００３０】
図１３および図１４に示すように、ドアブラケット１７０は、一対のガイドタブ１７１と、ヒンジピン１５０を受容するための、ガイドタブ１７１上に位置付けられる、一対のヒンジピン穴１７２とを含む。
【００３１】
加えて、ドアブラケット１７０は、ドア１００が閉鎖している時に、筐体１４０の中の開口１４７を通してヒンジピンリテイナ１３２に係合するための、一対の解放タブ１７３を含む。解放タブ１７３は、ガイドタブ１７１とヒンジピン穴１７２とに隣接して位置付けられる。
【００３２】
加えて、ドアブラケット１７０は、ドア１００をドアブラケット１７０と整合するための、整合タブ１７４を含む。例えば、図２０に示すように、下部ドアブラケット１７０上の整合タブ１７４は、下部ヒンジピンアセンブリ１３０の筐体１４０に係合し、ドア１００を持ち上げ、下部ドアブラケット１７０と適切に整合させる。整合タブ１７４は、ヒンジピン穴１７２の間に位置付けられ、ガイドタブ１７１を越えて延在する。好ましくは、整合タブ１７４は、デュアルヒンジドア１００を収容するように、ヒンジピン穴１７２の間で等間隔に離間する。
【００３３】
垂直ケーブルマネージャ用のドアブラケットおよび他のドア載置構成のさらなる実施例は、２００５年３月２２日出願の特許文献３、および２００５年５月６日出願の特許文献４において提供され、それらの両方は、Ｐａｎｄｕｉｔ  Ｃｏｒｐ．（米国イリノイ州ティンレイパーク）に譲渡され、参照によりその全体が本明細書に組み込まれる。
【００３４】
図１５、図１７、および図２０に示すように、ドア１００は、垂直ケーブルマネージャのドアブラケット１７０に回転可能に接続され、開放位置（図１５および図２０）から閉鎖位置（図１７）に回転する。ドア１００は、右側で開放し、左側のヒンジピン１５０、すなわち回転軸Ｌを中心として回転するが（図７）、同様に、ドア１００が左側で開放し、右側のヒンジピン１５０、すなわち回転軸Ｒを中心として回転することも考えられる（図７）。
【００３５】
図１５、図１６、および図２０に示すように、ドア１００が開放している時、ドア１００の右側の上部および下部ヒンジピン１５０は、後退位置にある。ヒンジピンリテイナ１３２は、ヒンジピン１５０上の環状溝１５１に係合し、ヒンジピン１５０を後退位置に固定する。
【００３６】
図１７および図１８に示すように、ドア１００が閉鎖している時、ドア１００の右側のヒンジピン１５０は、伸長位置にある。ドアブラケット１７０上の解放タブ１７３は、筐体１４０の中の開口１４７を通って延在し、ヒンジピンリテイナ１３２に係合し、ヒンジピンリテイナ１３２をヒンジピン１５０上の環状溝１５１から係脱させ、バネ１３４がヒンジピン１５０を伸長位置に戻すことを可能にする。
【００３７】
しかしながら、ヒンジピンリテイナ１３２のうちの一方のみがヒンジピン１５０の中の環状溝１５１から係脱され、ドア１００がドアブラケット１７０と適切に整合されていないことを示す場合、もう一方のヒンジピンリテイナ１３２が、ヒンジピン１５０の両方を後退位置に固定する。これは、ヒンジピン１５０が、ノブアーム１２１およびヒンジピンアーム１６０を介してノブ１２０に接続されるためである。
【００３８】
図１９および図２０に示すように、下部ヒンジピンアセンブリ１３０の筐体１４０は、下部ドアブラケット１７０上の整合タブ１７４に係合し、ドア１００とドアブラケット１７０との間の摩擦を低減し、ドア１００をより容易に開閉させるための、平滑なステンレス製インサート等の整合インサート１４８を含む。
【００３９】
当然のことながら、上記は、本開示の例示的な実施形態に関し、本開示の精神および範囲から逸脱することなく、修正が行われてもよいことを理解されたい。
【符号の説明】
【００４０】
１００  ・・・ドア、      １１０  ・・・パネル、      １２０  ・・・ノブ、      １３０  ・・・ヒンジピンアセンブリ、      １４０  ・・・筐体、      １５０  ・・・ヒンジピン、      １６０  ・・・ヒンジピンアーム、      １７０  ・・・ドアブラケット
【図１】
0005841127.tif 000002
【図２】
0005841127.tif 000003
【図３】
0005841127.tif 000004
【図４】
0005841127.tif 000005
【図５】
0005841127.tif 000006
【図６】
0005841127.tif 000007
【図７】
0005841127.tif 000008
【図８】
0005841127.tif 000009
【図９】
0005841127.tif 000010
【図１０】
0005841127.tif 000011
【図１１】
0005841127.tif 000012
【図１２】
0005841127.tif 000013
【図１３】
0005841127.tif 000014
【図１４】
0005841127.tif 000015
【図１５】
0005841127.tif 000016
【図１６】
0005841127.tif 000017
【図１７】
0005841127.tif 000018
【図１８】
0005841127.tif 000019
【図１９】
0005841127.tif 000020
【図２０】
0005841127.tif 000021